(57)【要約】      （修正有）【課題】紙幣両替機の紙幣ケース内の紙幣の有無を検出して表示する検出装置の提供。【解決手段】座体１の下方に紙幣をストックする紙幣ケースを配置する構成において、座体の紙幣挿入口１１内に検出装置１３を配置し、挿入された紙幣を移送装置１５により移送して後方において反転して下側に移送し、紙幣紙幣受板１５５により紙幣設置開口１４下方の紙幣ケース内に押圧して紙幣受板との間に収容する。紙幣押圧板１５５上面に配置された検出装置１３の光線発射、受信素子間の光線は紙幣受板側に配置されて反射装置によって中継されるが、紙幣があると光線が遮断され、紙幣の有無が検知される。【選択図】図２
0003117909.tif 000002
【実用新案登録請求の範囲】
【請求項１】
紙幣ケース設置開口を備えた座体、及び該開口に接続して紙幣を収容する紙幣ケースからなり、
該座体は、紙幣を挿入する紙幣挿入口、及び紙幣を前記紙幣挿入口から紙幣ケース内の紙幣押圧板と紙幣受板の間に伝送する紙幣輸送装置を有し、
前記紙幣ケース内の紙幣受板は、紙幣押圧板に向けて弾性素子により押圧されて該ケース内に収容された紙幣を紙幣押圧板との間に定位して保持し、
前記紙幣輸送装置は、紙幣を前記紙幣挿入口から、紙幣ケースにいたる入幣チャンネルを縦方向に湾曲させて備え、
紙幣を保持する前記紙幣押圧板と紙幣受板の間を紙幣押圧チャンネルとして、該紙幣押圧チャンネルの紙幣挿入口に近い側において、紙幣ケース内の紙幣の有無を検出する検出装置を設けてなること、
を特徴とする紙幣両替機の紙幣ケース内の紙幣検出装置。
【請求項２】
前記座体は、前記入幣チャンネルの前記紙幣挿入口に近い一側に、紙幣識別装置を有することを特徴とする請求項１記載の紙幣両替機の紙幣ケース内の紙幣検出装置。
【請求項３】
前記紙幣ケース内の紙幣の有無を検出する検出装置は、前記紙幣押圧板から下方に向けて、光線発射端と受信端を有し、前記紙幣受板体から上方に向けて、反射装置を設置し、前記受信端は、前記反射装置により、前記発射端からの発射光線を受信することを特徴とする請求項１記載の紙幣両替機の紙幣ケース内の紙幣検出装置。
【請求項４】
前記反射装置は、反射面を有する複数の反射素子を設置し、前記反射素子は、反射面により、前記発射端の光線を、もう一つの反射素子に反射し、且つ、もう一つの反射素子は、反射面により、反射光線を前記受信端に反射することを特徴とする請求項３に記載の紙幣両替機の紙幣ケース内の紙幣検出装置。
【請求項５】
前記紙幣ケースは、指示装置を備え、前記受信端が前記発射端の反射光線を受信できない時、前記指示装置の空表示を遮断することを特徴とする請求項３に記載の紙幣両替機の紙幣ケース内の紙幣検出装置。
【請求項６】
前記紙幣輸送装置は、モーターを備え、且つ、前記モーターは、ギアユニットと交差連棒を駆動することを特徴とする請求項１に記載の紙幣両替機の紙幣ケース内の紙幣検出装置。
【請求項７】
前記モーターは、正転時、紙幣を前記紙幣挿入口から、前記入幣チャンネルを経て、前記紙幣押圧チャンネル内に移送することを特徴とする請求項６に記載の紙幣両替機の紙幣ケース内の紙幣検出装置。
【請求項８】
前記モーターは、反転時、前記ギアユニットにより、前記交差連棒を駆動すると共に、前記交差連棒は、前記紙幣紙幣受板を前記紙幣ケースの紙幣受板方向に引っ張って、伸縮シフトさせることを特徴とする請求項６に記載の紙幣両替機の紙幣ケース内の紙幣検出装置。
【請求項９】
前記座体は、透孔を有する検出機構を設置し、
該検出機構は、透孔を通して光を発信、受信する検出素子を配置してなり、
前記紙幣ケース内を上下往復動する滑棒を設けるとともに該滑棒に、前記紙幣受板の一側端に形成された推ブロックの押圧作用を受ける抵ブロックを設けて前記透孔を通る信号を遮断するように配置し、紙幣受板が紙幣が満杯となるにしたがって下降することにより該抵ブロックが下降して前記透孔の位置を外れて該信号を受信せしめることにより、
前記紙幣ケースが満杯時、電源を遮断することを特徴とする請求項１に記載の紙幣両替機の紙幣ケース内の紙幣検出装置。
【請求項１０】
前記弾性素子は、螺旋状のスプリングであることを特徴とする請求項１に記載の紙幣両替機の紙幣ケース内の紙幣検出装置。
【考案の詳細な説明】
【技術分野】
【０００１】
本考案は、紙幣両替機の紙幣ケースの検出装置であって、特に、紙幣ケース内に、紙幣があるかないかを検出することが出来る紙幣ケースの紙幣検出装置で、指示装置により検出結果を表示し、使用者は、紙幣ケースを開けなくても、紙幣ケース内に、紙幣があるかどうかを知ることが出来る紙幣両替機の紙幣ケースの検出装置に関するものである。
【背景技術】
【０００２】
交通も、通信システムも快速に発展し、無店舗販売も、情報技術の発展に伴って多くなっている。現有の販売方式は、人手を要するものから自動販売装置へ移行していて、各地に、自動販売機の設置が見られ、消費者にとって便利であり、経営者にとっても、商品の販売ルートを拡張することが出来、これからの市場において、大きな潜在能力を有する。
【０００３】
自動販売機の両替装置は、硬貨と紙幣入口構造の二種を採用し、紙幣両替機の紙幣ケース設計は、紙幣ケースが満杯である部分に対しては特別な設計がなされておらず、メーカーは、計数器、或いは、マイクロスイッチにより、紙幣ケースの満杯かどうかの検出を行っているが、これには、以下のような欠点がある。
【０００４】
（１）計数器により、紙幣ケース内の紙幣が満杯かを計算するのは、回路設計が      困難で、故障時のメンテナンスも難しい。
（２）マイクロスイッチにより、直接接触すると、一定時間使用後、接点の接触      不良や損壊の恐れがある。
【０００５】
よって、本考案者は、１９９８年８月９日に、台湾公告第４４３５５６号、紙幣両替機の紙幣ケース検出装置を考案申請し、上述の問題を解決している。この公知の紙幣ケースの検出装置は、リードスイッチにより検出目的を達成している。その検出方式は、紙幣ケース上、及び、紙幣受板上に装着されたリードスイッチと磁性素子により、紙幣が紙幣ケースに満杯かどうかを検出するもので、紙幣が満杯になった後、所定の指示灯を点滅させ、且つ、導電回路を遮断する。しかし、このリードスイッチと磁性素子による検出方法は、長期間使用するうちに磁力が減衰して機能が低下したり、作動が不確実になるという欠点がある。また、両替機内部の金属素子、及び、電子素子が多く、リードスイッチが干渉を受け、検出時の動作が不確実である。
【０００６】
更に、公知の自動販売機は、コイン投入装置、或いは紙幣受領装置により、投入した金額制御をするので、これらの制御は、硬貨、或いは紙幣の識別、停止、防盗、退出等を行うが、投入硬貨、或いは紙幣に対し、計数動作を行い、現場で自動販売機に対して、商品の補充、集金、メンテナンス等を実施するとき、上述の煩雑な手続きを解除しないと、自動販売機内のお金を回収することが出来ず、自動販売機内にお金がない場合、わざわざ開けてからでないと、お金の有無を知ることが出来ないため、時間の浪費であり、この欠点を改善することが要請される。
【特許文献１】特開２００１−１１８１２０号公報
【考案の開示】
【考案が解決しようとする課題】
【０００７】
本考案は、検出装置により、紙幣ケース内に紙幣があるかどうかを検出し、ない時は指示装置により空であることを表示するとともに、紙幣が紙幣投入口から入ると、紙幣輸送装置により、紙幣を紙幣押圧チャンネル内に伝送し、検出装置は、紙幣押圧チャンネル内の紙幣を検出した後、指示装置の空の表示を遮断し、メンテナンス者は、空である時に、時間を浪費して紙幣ケースを開ける必要がないようにすることを目的とする。
【０００８】
本考案は、紙幣輸送装置がモーターで、モーターが正転時、紙幣を紙幣挿入口から紙幣押圧チャンネル内に伝送し、モーターが反転する時、ギアユニットを駆動して、更に、交差連棒を駆動し、交差連棒は、紙幣紙幣受板に垂直な方向で、紙幣紙幣受板を推動し、紙幣紙幣受板が、平均的に紙幣ケースの紙幣受板に施力され、紙幣押圧上の紙幣は、紙幣ケース内に挿入され、詰まることが無く、動作が安定し、公知のようにモーターがいくつも必要であると言う欠点を改善することをもう一つの目的とする。
【課題を解決するための手段】
【０００９】
本考案は、紙幣が未満状態である時、計測機構の一側の検出素子により発射される信号が、紙幣ケース内の滑棒上の抵ブロックの遮蔽を受け、紙幣ケースが満杯の時、紙幣受板の推ブロックが紙幣ケース内の滑棒を推動してシフトを生じ、滑棒の抵ブロックと検出素子を離し、信号をもう一側の検出素子に伝送する。紙幣両替機の電源を遮断し、紙幣ケースが満杯になると、動作を停止し、指示装置により、満杯であることを表示し、メンテナンス者が紙幣ケース内の紙幣を完全に取り出した後、指示装置が空であることを表示すると共に、電源を起動し、紙幣両替機が正常に作動して紙幣を取入する。
【考案の効果】
【００１０】
本考案の検出装置は、紙幣ケース内に、紙幣があるかないかを検出することが出来、指示装置により検出結果を表示し、使用者は、紙幣ケースを開けなくても、紙幣ケース内に、紙幣があるかどうかを知ることが出来、メンテナンスの時間が節約できるという長所がある。
【考案を実施するための最良の形態】
【００１１】
図１〜図４、及び、図７は、本考案の立体外観図、座体の立体分解図、紙幣ケースの立体分解図、検出装置の構造図、及び、紙幣進入時の側面断面図である。図から分かるように、本考案の紙幣両替機の紙幣ケース検出装置は、座体１、紙幣ケース２、からなる。
【００１２】
座体１は、上方に紙幣挿入口１１を設け、紙幣挿入口１１は、縦向きの入幣チャンネル１１１（図６〜８）に延長している。入幣チャンネル１１１は、紙幣挿入口１１に近い一側に、識別装置１２を設け、紙幣挿入口１１に遠い他の一側に、紙幣押圧チャンネル１１２を縦向きに湾曲して配置している。紙幣押圧チャンネル１１２は、紙幣挿入口１１に近い一側に、紙幣３があるかどうかを検出する検出装置１３を設け、紙幣挿入口１１の下方は紙幣設置開口１４である。
紙幣設置開口１４内に、紙幣挿入口１１から相通する紙幣輸送装置１５を有する。紙幣輸送装置１５は、入幣チャンネル１１１と紙幣押圧チャンネル１１２間に位置し、且つ、紙幣輸送装置１５はモーター１５１を有し、モーター１５１は、ギアユニット１５２と軸棒１５２１を駆動して回転させ、ギアユニット１５２により、皮ベルト１５３を旋転させ、軸棒１５２１は、交差連棒１５４の制限スリット１５４１中に穿設され、モーター１５１が交差連棒１５４を駆動して、上下のシフト状態を形成する。また、交差連棒１５４の伸縮により、紙幣押圧板１５５の往復シフト状態を形成し、座体１は、モーター１５１に近い一側に、透孔１６１を有する検出機構１６を設け、透孔１６１内側は、複数の検出素子１６２を有する。
【００１３】
紙幣ケース２上面は開放された構造とされると共に、座体１の紙幣設置開口１４内に相対して配置され、外側は押さえ板２１を形成し、且つ、紙幣ケース２の上記開放面内に、紙幣受板２２を設け、紙幣受板２２奥方向の一端中央に、推ブロック２２１を凸設し、紙幣受板２２内側の係合溝２２２にスプリング等の弾性素子２３を係合配置し、該弾性素子２３の他端を紙幣ケース２底面を押圧するように設置する。紙幣受板２２は、紙幣押圧板１５５の押圧力を受けて、紙幣ケース２内部で上下往復動する。紙幣ケース２は、適当な位置で、往復動を呈する滑棒２４を収容し、滑棒２４は、紙幣受板２２一側端の推ブロック２２１の抵接を受け、滑棒２４の抵ブロック２４１は、透孔１６１の位置を遮蔽するか、或いは、隔てる。紙幣ケース２は、外部に、指示装置２５を有する。
【００１４】
図４、及び図５は、本考案の検出装置の構造図であって、検出装置の反射光線を示す図である。図から分かるように、検出装置１３は、紙幣紙幣受板１５５上に下方に向けて、発射端１３１と受信端１３２を配置し、紙幣受板２２下面に上方に向けて複数の反射素子１３３１からなる反射装置１３３を設け（これらの配置関係については、図６〜８参照。）、反射素子１３３１は反射面１３３２を有する。発射端１３１が光線を反射素子１３３１に向けて発射すると、反射素子１３３１は反射面１３３２で光線を、もう一つの反射素子１３３１に反射し、更に反射素子１３３１はその反射面１３３２で受信端１３２に反射し、受信端１３２は、発射端１３１から発射した光線を受信する。
【００１５】
図６、図７、図８は、本考案の装置における、紙幣３の進入前の側面断面図、紙幣進入時の側面断面図、及び紙幣進入後の側視断面図である。図から分かるように、紙幣ケース２は、紙幣３が全く無い時、検出装置１３の受信端１３２は、反射装置１３３により発射端１３１からの反射光線を紙幣によって遮られることなく受信し、紙幣ケース２の指示装置２５を空表示する。
また、紙幣両替機を作動させ、紙幣３が座体１の紙幣挿入口１から挿入されると、まず、入幣チャンネル１１１上下両側の識別装置１２により識別し、偽札や、識別不能な場合、紙幣３を紙幣挿入口１１に返還し、使用者に紙幣３を返戻する。識別装置１２が本物の紙幣であると判断すると、紙幣輸送装置１５により、紙幣３を紙幣押圧チャンネル１１２に伝送し、この時、発射端１３１から発射された光線は、紙幣３により遮断されて検出装置１３の受信端１３２は受信することが出来ない。このようにして、指示装置２５の空表示を停止させることができる。
【００１６】
上述の説明のとおり、検出装置１３は、紙幣押圧チャンネル１１２内に紙幣３があるか否かを判断して表示するから、使用者は紙幣ケースを開けなくても、紙幣ケース２内に、紙幣３があるかどうかを知ることが出来る。
【００１７】
図７〜図１１は、本考案の装置における紙幣進入時の側面断面図、紙幣進入後の側視断面図、紙幣押圧前の動作図、紙幣押圧時の動作図、及び、紙幣押圧後の動作図である。図から分かるように、紙幣３が、座体１の紙幣挿入口１１から挿入されると、紙幣輸送装置１５のモーター１５１は、正転運転し、ギアユニット１５２により、皮ベルト１５３を駆動して旋転させ、紙幣３を入幣チャンネル１１１から、紙幣押圧チャンネル１１２に移送し、紙幣３が紙幣押圧板１５５と紙幣受板２２の間の紙幣押圧チャンネル１１２に達すると、紙幣輸送装置１５のモーター１５１は、反転して回転し、軸棒１５２１を駆動して、交差連棒１５４の制限スリット１５４１内で旋転させ、更に、交差連棒１５４を上向きに押して、紙幣押圧板１５５は、紙幣３を紙幣ケース２の紙幣受板２２に向けて押圧する。紙幣受板１５５は、紙幣３を紙幣ケース２内に押圧して滑りこませ、弾性素子２３を押圧して紙幣３を紙幣ケース２内で定位した後、モーター１５１は、継続して反転駆動し、ギアユニット１５２を駆動すると共に軸棒１５２１を、制限スリット１５４１内で、押圧動作前の位置に復元させ、交差連棒１５４及び紙幣押圧板１５５を押圧動作前の位置に復元させ、紙幣ケース２の紙幣受板２２は、弾性素子２３の弾発力により、紙幣３を紙幣受板２２と紙幣ケース２開口の押さえ板２１間に挟持する。
【００１８】
弾性素子２３は、上述の実施例では螺旋状のスプリングであるが、弾発力を有するものであればよく、紙幣受板２２を押圧し、紙幣３を紙幣受板２２と押さえ板２１間に挟持するものである。
【００１９】
図１２、及び図１３は、それぞれ本考案の装置における紙幣が満杯でない場合の立体図、紙幣が満杯である時の立体図である。図から分かるように、紙幣ケース２が収容する滑棒２４は、検出機構１６の透孔１６１内に位置して透孔１６１の検出素子１６２が発射する信号光線を遮断することにより、該検出素子１６２が他方の検出素子１６２からの信号光線を受信していない時、紙幣押圧板１５５の紙幣３が満杯でないことを知ることが出来る。紙幣３が続けて紙幣輸送装置１５から紙幣押圧チャンネル１１２に移送されると、紙幣ケース２内の紙幣受板２２は、弾性素子２３の圧力を受けて紙幣３を押圧保持し、紙幣ケース２が紙幣３で満杯になるとそれにつれて紙幣受板２２が下降する。
紙幣がケース内に満杯になると、紙幣受板２２の推ブロック２２１により、紙幣ケース２内の滑棒２４を推動してシフトさせ、滑棒２４の抵ブロック２４１は、透孔１６１の位置を外れるため検出素子１６２の信号光線は遮られることなく他の側の検出素子１６２に伝送されて受信され、紙幣ケース２の指示装置２５により満杯表示する。
且つ、紙幣両替機の電源を遮断して、運転を停止させる。
メンテナンス時には、紙幣ケース２内の紙幣を取り出した後、紙幣ケース２を座体１の紙幣設置開口１４内にセットし、指示装置２５は空表示をして電源を起動し、紙幣両替機が作動開始して、正常に紙幣を収容する。
【００２０】
本考案の紙幣両替機の紙幣ケース検出装置は、公知技術を改善し、それは以下のようである。
（１）本考案は、紙幣ケース２に紙幣３が無い時、検出装置１３の受信端１３２      は、反射装置１３３により、発射端１３１から発射した光線を紙幣により遮断されることなく受信し、紙幣ケース２の指示装置２５は空表示する。
（２）本考案は、紙幣ケース２に紙幣３があるとき、紙幣３により発射端１３１の反射光線が遮断され、検出装置１３の受信端１３２は、発射端１３１からの発射光線を受信できず、指示装置２５の空表示を停止させる。これにより、使用者は指示装置２５の表示によって紙幣ケース２内に、紙幣３があるかどうかを知ることが出来るため、使用者が紙幣ケース２を開けて点検する時間を節約する。
（３）本考案は、モーター１５が正転運転し、ギアユニット１５２が皮ベルト１５３を駆動して旋転させ、紙幣３は、入幣チャンネル１１１から、紙幣押圧チャンネル１１２に移送されると、モーター１５１は反転運転し、軸棒１５２１を駆動して、交差連棒１４３の制限スリット１５４１内で旋転し、更に、交差連棒１５４を上向きに押して、紙幣押圧板１５５は、紙幣３を紙幣ケース２の紙幣受板２２上に押入れ、公知技術のように、複数のモーターが必要である欠点を改善する。
（４）本考案は、紙幣ケース２が紙幣３で満杯になると、紙幣受板２２の推ブロック２２１により、紙幣ケース２内の滑棒２４を推動してシフトさせ、滑棒２４の抵ブロック２４１は、透孔１６１の位置を外れて検出素子１６２の信号を、他方の検出素子１６２に伝送受信させ、紙幣両替機の電源を遮断して運転を停止させると共に、紙幣ケース２の指示装置２５により満杯表示する。
【００２１】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案明の保護範囲は、実用新案請求の範囲で指定した内容を基準とする。
【図面の簡単な説明】
【００２２】
【図１】本考案の立体外観図である。
【図２】本考案の座体の立体分解図である。
【図３】本考案の紙幣ケースの立体分解図である。
【図４】本考案の検出装置の構造図である。
【図５】本考案の検出装置の反射光線を示す図である。
【図６】本考案の紙幣進入前の側面断面図である。
【図７】本考案の紙幣進入時の側面断面図である。
【図８】本考案の紙幣進入後の側視断面図である。
【図９】本考案の紙幣押圧前の動作図である。
【図１０】本考案の紙幣押圧時の動作図である。
【図１１】本考案の紙幣押圧後の動作図である。
【図１２】本考案の紙幣未満時の立体図である。
【図１３】本考案の紙幣満時の立体図である。
【符号の説明】
【００２３】
１…座体
１１…紙幣挿入口
１１１…入幣チャンネル
１１２…紙幣押圧チャンネル
１２…識別装置
１３…検出装置
１３１…発射端
１３２…受信端
１３３…反射装置
１３３１…反射素子
１３３２…反射面
１４…紙幣設置開口
１５…紙幣輸送装置
１５１…モーター
１５２…ギアユニット
１５２１…軸棒
１５３…皮ベルト
１５４…交差連棒
１５４１…制限スリット
１５５…紙幣紙幣受板
１６…検出機構
１６１…透孔
１６２…検出素子
２…紙幣ケース
２１…押さえ板
２２…紙幣受板
２２１…推ブロック
２２２…係合溝
２３…弾性素子
２４…滑棒
２４１…抵ブロック
２５…指示装置
３…紙幣
【図１】
0003117909.tif 000003
【図２】
0003117909.tif 000004
【図３】
0003117909.tif 000005
【図４】
0003117909.tif 000006
【図５】
0003117909.tif 000007
【図６】
0003117909.tif 000008
【図７】
0003117909.tif 000009
【図８】
0003117909.tif 000010
【図９】
0003117909.tif 000011
【図１０】
0003117909.tif 000012
【図１１】
0003117909.tif 000013
【図１２】
0003117909.tif 000014
【図１３】
0003117909.tif 000015